(57)【要約】【課題】機密文書を印刷中にジャムが発生したときの機密情報の流出を防ぎつつ、ジャム除去の際の利便性を高めること。【解決手段】機密文書の印刷中におけるジャム発生位置が、記録紙にトナー像を転写する前である場合、用紙Ｐの搬送を停止し、転写ベルト用クリーニング装置が転写ベルト上のトナーを取り除く。又は、ジャム発生位置が転写後であって定着処理前である場合は、トナー像破壊装置３０が用紙Ｐのトナー像を除去する又は塗り潰すことにより、機密文書を示すトナー像をプリンタ内で破壊する。【選択図】図４
2010256385.tif 000002
【特許請求の範囲】
【請求項１】
外部装置から転送された画像データに応じて像担持体にトナー像を形成し、そのトナー像を記録紙に転写する画像形成手段と、
前記記録紙に形成されたトナー像を記録紙に定着させる定着手段と、
前記定着後の記録紙を収容する印刷物収容手段と、
前記記録紙を収容する収容手段から前記画像形成手段及び前記定着手段を経由して前記印刷物収容手段へ前記記録紙を搬送する搬送手段と、
前記画像データが機密文書を示すデータであるか否かを判別する判別手段と、
前記搬送手段における前記記録紙の紙詰まりを検知する検知手段と、
前記記録紙に転写されたトナー像を判別不能な状態にする画像破壊手段と
を備え、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記画像破壊手段は、当該記録紙のトナー像を判別不能な状態にするものである画像形成装置。
【請求項２】
前記画像破壊手段は、前記記録紙に当接して当該記録紙に転写されたトナー像を拭き取る拭き取り手段と、前記拭き取り手段の位置を前記記録紙に当接しない位置と当接する位置とに切り換える切換手段を有するものであり、前記拭き取り手段は、前記画像形成手段より下流側であって、前記定着手段より上流側に設置されるものであり、前記切換手段は前記拭き取り手段を前記記録紙に当接しない位置をホームポジションとして配置し、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記切換手段は前記拭き取り手段を前記記録紙に当接する位置に切り換えて配置するものである請求項１に記載の画像形成装置。
【請求項３】
前記画像破壊手段は、前記記録紙に当接して当該記録紙に転写されたトナー像を塗り潰す塗り潰し手段と、前記塗り潰し手段の位置を前記記録紙に当接しない位置と当接する位置とに切り換える切換手段を有するものであり、前記塗り潰し手段は、前記画像形成手段より下流側であって、前記定着手段より上流側に設置されるものであり、前記切換手段は前記塗り潰し手段を前記記録紙に当接しない位置をホームポジションとして配置し、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記切換手段は前記塗り潰し手段を前記記録紙に当接する位置に切り換えて配置するものである請求項１に記載の画像形成装置。
【請求項４】
前記像担持体に付着したトナーを除去するクリーニング手段を更に備え、
前記判別手段が機密文書を示すデータであると判別した画像データに応じて前記画像形成手段が前記像担持体にトナー像を形成し、そのトナー像を前記記録紙に転写する前に前記検知手段が紙詰まりを検知したとき、前記搬送手段は前記記録紙の搬送を停止し、前記クリーニング手段は前記像担持体に付着したトナーを除去するものである請求項１〜３の何れか一項に記載の画像形成装置。
【請求項５】
前記画像形成装置の利用者の認証情報を記憶する記憶手段と、
ユーザによる入力操作を受け付ける入力受付手段と、
ユーザの個人認証を行う認証手段と、
前記搬送手段にある記録紙を取り除く際に開閉するカバーの施錠又は解錠を行う施錠手段と、
を更に備え、前記判別手段が機密文書を示すデータであると判別した画像データに応じて前記画像形成手段が前記記録紙にトナー像の形成を行い、前記定着手段が当該記録紙にトナー像を定着した後に、前記検知手段が紙詰まりを検知したとき、前記施錠手段は前記カバーを施錠し、その後、前記入力受付手段がユーザの認証情報の入力を受け付けたとき、前記認証手段は、前記入力受付手段が受け付けたユーザの認証情報と前記記憶手段が記憶する認証情報を比較して個人認証を行い、その個人認証が成功した場合、前記施錠手段は前記カバーを解錠するものである請求項１〜４の何れか一項に記載の画像形成装置。
【請求項６】
前記画像形成装置の利用者の認証情報を記憶する記憶手段と、
ユーザの個人認証を行う認証手段と、
前記搬送手段にある記録紙を取り除く際に開閉するカバーの施錠又は解錠を行う施錠手段と、
前記外部装置に対してデータを送信する送信手段と、
前記外部装置から送信されたデータを受信する受信手段と、
を更に備え、前記判別手段が機密文書を示すデータであると判別した画像データに応じて前記画像形成手段が前記記録紙にトナー像の形成を行い、前記定着手段が当該記録紙にトナー像を定着した後に、前記検知手段が紙詰まりを検知したとき、前記施錠手段は前記カバーを施錠し、その後、前記送信手段は前記画像データの転送元である前記外部装置にユーザの認証情報の要求信号を送信し、前記受信手段は、当該外部装置から前記ユーザの認証情報を受信し、前記認証手段は、前記受信したユーザの認証情報と前記記憶手段が記憶する認証情報を比較して前記ユーザの個人認証を行い、その個人認証が成功した場合、前記送信手段は前記カバーの解錠用コードを送信し、前記入力受付手段が当該解錠用コードの入力を受け付けたとき、前記施錠手段は前記カバーを解錠するものである請求項１〜４の何れか一項に記載の画像形成装置。
【発明の詳細な説明】
【技術分野】
【０００１】
本発明は、トナー像を記録紙に転写して印刷を行う画像形成装置に関するものであり、特に機密文書の印刷中に記録紙の紙詰まりが発生したときに、その機密情報の流出を防ぐ方法を採用した画像形成装置に関するものである。
【背景技術】
【０００２】
ネットワーク型プリンタは、ネットワークに接続され、同じネットワークに接続された複数のコンピュータを介して複数のユーザが共有して利用するプリンタである。コンピュータで作成した機密文書をこのネットワーク型プリンタで印刷するケースも多く、従来から、機密文書の印刷中にプリンタ内で記録紙の紙詰まり（以下「ジャム」と言う）が発生したときの機密文書の情報の確保が問題となっていた。
【０００３】
特許文献１には、印刷時にユーザが印刷物の機密度に合わせて通常モード又はセキュリティモードを設定し、セキュリティモード時にジャムが発生した場合は、詰まった記録紙を取り出すためにプリンタ側面に取り付けられたカバーをロックする発明が記載されている。こうすることによって、他のユーザに機密文書が印刷された記録紙を無断でプリンタから取り出されることを防いでいる。
【先行技術文献】
【特許文献】
【０００４】
【特許文献１】特開２００５−３１９７３５号公報
【特許文献２】特開２００１−２６５７３９号公報
【発明の概要】
【発明が解決しようとする課題】
【０００５】
特許文献１に記載の方法では、ＩＣカードや指紋認証等によって個人認証を行い、ユーザがジャム除去許可ユーザであると認証された場合にカバーのロックが解除され、ユーザはジャムを除去することができる。このことは、ジャム除去許可ユーザであるユーザが個人認証を行ってカバーのロックを解錠しない限り、カバーはロックされたままとなり、ジャムを除去することができないことを意味する。ジャム除去許可ユーザであるユーザが即刻ジャムを除去できない状況にあると、プリンタが使用不可能な状態が長時間続き、他のユーザにとって不便であると共に、印刷効率を下げる原因にもなっていた。
【０００６】
本発明は、上記の問題を解決するためになされたもので、機密文書を印刷中にジャムが発生したときの機密情報の流出を防ぎつつ、ジャム除去の際の利便性を高めた画像形成装置を提供することを目的とするものである。
【課題を解決するための手段】
【０００７】
請求項１の発明の画像形成装置は、外部装置から転送された画像データに応じて像担持体にトナー像を形成し、そのトナー像を記録紙に転写する画像形成手段と、前記記録紙に形成されたトナー像を記録紙に定着させる定着手段と、前記定着後の記録紙を収容する印刷物収容手段と、前記記録紙を収容する収容手段から前記画像形成手段及び前記定着手段を経由して前記印刷物収容手段へ前記記録紙を搬送する搬送手段と、前記画像データが機密文書を示すデータであるか否かを判別する判別手段と、前記搬送手段における前記記録紙の紙詰まりを検知する検知手段と、前記記録紙に転写されたトナー像を判別不能な状態にする画像破壊手段とを備え、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記画像破壊手段は、当該記録紙のトナー像を判別不能な状態にするものである。
【０００８】
従来は、機密文書の印刷中にジャムが発生すると、何れの印刷段階であっても画像形成装置のカバーが施錠され、ユーザの個人認証が成功した場合にカバーが解錠されて、ユーザは紙詰まりの原因である記録紙を取り除くことができた。このことは、個人認証が成功しない限り、カバーは施錠されたままとなり、紙詰まりを解除することができないことを意味する。従って、ユーザが即刻個人認証できない状況にあると、画像形成装置の使用停止状態が長時間続き、他のユーザにとって不便であると共に、印刷効率を下げる原因にもなっていた。
【０００９】
そこで、機密文書の印刷中における紙詰まりの発生位置が、記録紙へのトナー像転写後であって定着処理前である場合は、画像破壊手段が記録紙のトナー像を判別不能にすることにより、機密文書を示すトナー像は画像形成装置内で破壊される。つまり、機密文書の内容が外部に流出することがないため、カバーを施錠しなくてもよく、何れのユーザであってもカバーを開けてジャムの原因となっている記録紙を取り除くことができる。従って、画像形成装置を即刻使用可能な状態にすることができ、印刷効率を維持することができる。
【００１０】
また、請求項２に記載の発明は、請求項１に記載の画像形成装置であって、前記画像破壊手段は、前記記録紙に当接して当該記録紙に転写されたトナー像を拭き取る拭き取り手段と、前記拭き取り手段の位置を前記記録紙に当接しない位置と当接する位置とに切り換える切換手段を有するものであり、前記拭き取り手段は、前記画像形成手段より下流側であって、前記定着手段より上流側に設置されるものであり、前記切換手段は前記拭き取り手段を前記記録紙に当接しない位置をホームポジションとして配置し、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記切換手段は前記拭き取り手段を前記記録紙に当接する位置に切り換えて配置するものである。
【００１１】
この構成によれば、機密文書の印刷中における紙詰まりの発生位置が、記録紙へのトナー像転写後であって定着処理前である場合は、画像破壊手段が記録紙のトナー像を取り除くことにより、機密文書を示すトナー像は画像形成装置内で破壊される。つまり、機密文書の内容が外部に流出することがないため、カバーを施錠しなくてもよく、何れのユーザであってもカバーを開けてジャムの原因となっている記録紙を取り除くことができる。従って、画像形成装置を即刻使用可能な状態にすることができ、印刷効率を維持することができる。
【００１２】
また、請求項３に記載の発明は、請求項１に記載の画像形成装置であって、前記画像破壊手段は、前記記録紙に当接して当該記録紙に転写されたトナー像を塗り潰す塗り潰し手段と、前記塗り潰し手段の位置を前記記録紙に当接しない位置と当接する位置とに切り換える切換手段を有するものであり、前記塗り潰し手段は、前記画像形成手段より下流側であって、前記定着手段より上流側に設置されるものであり、前記切換手段は前記塗り潰し手段を前記記録紙に当接しない位置をホームポジションとして配置し、前記判別手段が機密文書を示すデータであると判別した画像データに応じて前記画像形成手段が前記記録紙にトナー像を転写してから前記定着手段が当該記録紙にトナー像を定着するまでに、前記検知手段が紙詰まりを検知したとき、前記切換手段は前記塗り潰し手段を前記記録紙に当接する位置に切り換えて配置するものである。
【００１３】
この構成によれば、機密文書の印刷中における紙詰まりの発生位置が、記録紙へのトナー像転写後であって定着処理前である場合は、画像破壊手段が記録紙のトナー像を塗り潰すことにより、機密文書を示すトナー像は画像形成装置内で破壊される。つまり、機密文書の内容が外部に流出することがないため、カバーを施錠しなくてもよく、何れのユーザであってもカバーを開けてジャムの原因となっている記録紙を取り除くことができる。従って、画像形成装置を即刻使用可能な状態にすることができ、印刷効率を維持することができる。
【００１４】
また、請求項４に記載の発明は、請求項１〜３の何れか一項に記載の画像形成装置であって、前記像担持体に付着したトナーを除去するクリーニング手段を更に備え、前記判別手段が機密文書であると判別した画像データに応じて前記画像形成手段が前記像担持体にトナー像を形成し、そのトナー像を前記記録紙に転写する前に前記検知手段が紙詰まりを検知したとき、前記搬送手段は前記記録紙の搬送を停止し、前記クリーニング手段は前記像担持体に付着したトナーを除去するものである。
【００１５】
この構成によれば、機密文書の印刷中における紙詰まりの発生位置が、記録紙にトナー像を転写する前である場合、記録紙の搬送を停止し、クリーニング手段が像担持体のトナーを取り除くことにより、機密文書を示すトナー像は画像形成装置内で破壊される。つまり、機密文書の内容が外部に流出することがないため、カバーを施錠しなくてもよく、何れのユーザであってもカバーを開けてジャムの原因となっている記録紙を取り除くことができる。従って、画像形成装置を即刻使用可能な状態にすることができ、印刷効率を維持することができる。
【００１６】
また、請求項５に記載の発明は、請求項１〜４の何れか一項に記載の画像形成装置であって、前記画像形成装置の利用者の認証情報を記憶する記憶手段と、ユーザによる入力操作を受け付ける入力受付手段と、ユーザの個人認証を行う認証手段と、前記搬送手段にある記録紙を取り除く際に開閉するカバーの施錠又は解錠を行う施錠手段と、を更に備え、前記判別手段が機密文書を示すデータであると判別した画像データに応じて前記画像形成手段が前記記録紙にトナー像の形成を行い、前記定着手段が当該記録紙にトナー像を定着した後に、前記検知手段が紙詰まりを検知したとき、前記施錠手段は前記カバーを施錠し、その後、前記入力受付手段がユーザの認証情報の入力を受け付けたとき、前記認証手段は、前記入力受付手段が受け付けたユーザの認証情報と前記記憶手段が記憶する認証情報を比較して個人認証を行い、その個人認証が成功した場合、前記施錠手段は前記カバーを解錠するものである。
【００１７】
この構成によれば、記録紙の定着後である場合は、カバーを施錠し、ユーザの個人認証が成功した場合にカバーを解錠することにより、解錠したユーザのみがカバーを開けることができるため、記録紙に印刷された機密情報が外部に流出することを防ぐことができる。
【００１８】
また、請求項６に記載の発明は、請求項１〜４の何れか一項に記載の画像形成装置であって、前記画像形成装置の利用者の認証情報を記憶する記憶手段と、ユーザの個人認証を行う認証手段と、前記搬送手段にある記録紙を取り除く際に開閉するカバーの施錠又は解錠を行う施錠手段と、前記外部装置に対してデータを送信する送信手段と、前記外部装置から送信されたデータを受信する受信手段と、を更に備え、前記判別手段が機密文書を示すデータであると判別した画像データに応じて前記画像形成手段が前記記録紙にトナー像の形成を行い、前記定着手段が当該記録紙にトナー像を定着した後に、前記検知手段が紙詰まりを検知したとき、前記施錠手段は前記カバーを施錠し、その後、前記送信手段は前記画像データの転送元である前記外部装置にユーザの認証情報の要求信号を送信し、前記受信手段は、当該外部装置から前記ユーザの認証情報を受信し、前記認証手段は、前記受信したユーザの認証情報と前記記憶手段が記憶する認証情報を比較して前記ユーザの個人認証を行い、その個人認証が成功した場合、前記送信手段は前記カバーの解錠用コードを送信し、前記入力受付手段が当該解錠用コードの入力を受け付けたとき、前記施錠手段は前記カバーを解錠するものである。
【００１９】
この構成によれば、記録紙の定着後である場合は、カバーを施錠し、ユーザの個人認証が成功した場合にカバーを解錠することにより、解錠したユーザのみがカバーを開けることができるため、記録紙に印刷された機密情報が外部に流出することを防ぐことができる。
【発明の効果】
【００２０】
機密文書の印刷中における紙詰まりの発生位置が、記録紙へのトナー像転写後であって定着処理前である場合は、画像破壊手段が記録紙のトナー像を判別不能にすることにより、機密文書を示すトナー像は画像形成装置内で破壊される。つまり、機密文書の内容が外部に流出することがないため、カバーを施錠しなくてもよく、何れのユーザであってもカバーを開けてジャムの原因となっている記録紙を取り除くことができる。従って、画像形成装置を即刻使用可能な状態にすることができ、印刷効率を維持することができる。
【図面の簡単な説明】
【００２１】
【図１】ネットワークの一例を示した図。
【図２】画像形成装置の一例であるタンデム型の画像形成装置の概略構成を示す断面図。
【図３】画像形成装置の内部構造を説明するための正面断面図。
【図４】トナー像破壊装置の一例とその周辺を示した図。
【図５】プリンタの電気的な構成を示すブロック図。
【図６】プリンタの印刷処理の流れを示したフローチャート。
【図７】図６に示すプリンタの印刷処理の流れを示したフローチャートの続き。
【図８】プリンタ及びパソコンの個人認証処理の流れを示したフローチャート。
【図９】パソコンのディスプレイに表示される画面例。
【図１０】パソコンのディスプレイに表示される画面例。
【発明を実施するための形態】
【００２２】
以下、図面に基づいて本発明の実施形態を説明する。図１は、本実施の形態における画像形成装置１とパソコン９が接続されたネットワークＮの一例を示した図である。ネットワークＮは、職場等に設置されたＬＡＮ（Local Area Network）等であり、画像形成装置１及び複数のパソコン９と電気的に接続している。パソコン９は、ユーザの入力操作に応じて各種データをネットワークＮを介して画像形成装置１に送信する。画像形成装置１はパソコン９から送信されたデータに応じて印刷を行う。
【００２３】
尚、本実施の形態では、画像形成装置としてカラーの画像形成装置を例に説明するが、モノクロであってもよい。画像形成装置１は、プリンタ、複写機、ファクシミリ、各種機能を備えた複合機に適用可能である。また、本実施の形態においては、タンデム型を例に説明するが、像担持体にトナー像を形成し、そのトナー像を記録紙に転写することによって印刷を行う画像形成装置であれば他の印刷方式のものであってもよい。
【００２４】
図２は、本発明の一実施形態に係る画像形成装置１を示す外観斜視図であり、図３は、その内部構造を説明するための正面断面図である。尚、図２及び３においてＸ−Ｘ方向を左右方向、Ｙ−Ｙ方向を前後方向といい、特に−Ｘ方向を左方、＋Ｘ方向を右方、−Ｙ方向を前方、＋Ｙ方向を後方という。
【００２５】
画像形成装置１は、図２に示すように、箱形を呈した装置本体１０と、この装置本体１０の上部に設けられた原稿画像を読み取る画像読取部１６と、画像形成処理に対して各種の条件を入力する操作キーとメッセージ等を表示する表示パネル４７１を有する入力操作部４７を備えた基本構成を有している。
【００２６】
また、図３に示すように、装置本体１０には、画像読取部１６によって読み取られた原稿の画像情報に基づき画像を形成する画像形成部１２と、この画像形成部１２によって形成され、用紙Ｐに転写された画像に定着処理を施す定着部１３と、転写用の用紙を貯留する用紙貯留部１４とが内装されている。装置本体１０内の各部への用紙の搬送は、用紙搬送部１１によって行われる。
【００２７】
画像読取部１６は、装置本体１０の上面に開閉可能に設けられた原稿押え１６１と、装置本体１０の上部の筐体内でコンタクトガラス１６３を介して原稿押え１６１と対向配置された光学系ユニット１６２とを備えている。コンタクトガラス１６３は、載置された原稿の原稿面を読み取るために原稿押え１６１より若干小さい平面形状に寸法設定されている。原稿押え１６１は、画像読取部１６の一構成要素である筐体の上面の一側辺に設けられた所定の軸回りに正逆回動することで開閉する。
【００２８】
光学系ユニット１６２は、図略の光源や複数のミラー、レンズユニット、さらにはＣＣＤ等を有している。そして、光源からの光が原稿面で反射され、この反射光がこれらミラーおよびレンズユニットを介してＣＣＤに入力されるようになっている。ＣＣＤは、入力した反射光を光電変換して電気信号として出力する。
【００２９】
用紙搬送部１１は、用紙搬送路１１１、ピックアップローラ１１２、搬送ローラ対１１３、排紙搬送路１１４を備えて構成されている。用紙搬送路１１１及び排紙搬送路１１４は、用紙Ｐが搬送される通路である。搬送ローラ対１１３は、用紙搬送路１１１及び排紙搬送路１１４の適所に設けられたローラ対である。搬送ローラ対１１３の駆動によって用紙搬送路１１１及び排紙搬送路１１４を用紙Ｐが搬送される。
【００３０】
ピックアップローラ１１２は、用紙トレイ１４１に貯留された用紙束から用紙Ｐを１枚ずつ繰り出すためのローラである。用紙トレイ１４１から繰り出された用紙Ｐは、搬送ローラ対１１３の駆動によって画像形成部１２へと搬送される。
【００３１】
画像形成部１２は、用紙貯留部１４から給紙された用紙にトナー画像を形成させるものであり、本実施形態では、上流側（図２の紙面の左側）から下流側へ向けて順次配設されたマゼンタ用ユニット１２Ｍと、シアン用ユニット１２Ｃと、イエロー用ユニット１２Ｙと、ブラック用ユニット１２Ｋとが備えられている。
【００３２】
各ユニット１２Ｍ、１２Ｃ、１２Ｙ、１２Ｋには、感光体ドラム１２１および現像装置１２２がそれぞれ備えられている。各感光体ドラム１２１は、図３において反時計方向へ向けて回転しつつ対応した現像装置１２２からトナーの供給を受ける。各現像装置１２２には、図略のトナーコンテナからトナーがそれぞれ補給される。
【００３３】
各感光体ドラム１２１の直上位置には帯電器１２３がそれぞれ設けられている。また、帯電器１２３および現像装置１２２の上方位置にはユニット毎に露光装置１２４が設けられている。各感光体ドラム１２１は、帯電器１２３によって周面が一様に帯電される。そして、画像読取部１６で入力された画像データに基づく各色に対応したレーザー光が、各露光装置１２４から帯電後の各感光体ドラム１２１の周面へと照射されることにより、各感光体ドラム１２１の周面にそれぞれ静電潜像が形成される。静電潜像に現像装置１２２からそれぞれの色のトナーが供給されることにより、感光体ドラム１２１の周面にトナー像がそれぞれ形成される。
【００３４】
感光体ドラム１２１の下方位置には、各感光体ドラム１２１の周面に当接するように転写ベルト１２５が設けられている。転写ベルト１２５は、駆動ローラ１２５ａ、従動ローラ１２５ｂ及び２次転写対向ローラ１２５ｃ並びにその他の必要なローラ間に張設されている。転写ベルト１２５は、各感光体ドラム１２１に対応して設けられた１次転写ローラ１２６によって感光体ドラム１２１の周面に押し付けられた状態で各感光体ドラム１２１と同期しながら駆動ローラ１２５ａと従動ローラ１２５ｂとの間を周回する。
【００３５】
転写ベルト１２５が周回することにより、その表面に対しマゼンタ用ユニット１２Ｍの感光体ドラム１２１によるマゼンタのトナー像の転写が行われ、ついで転写ベルト１２５の同一位置にシアン用ユニット１２Ｃの感光体ドラム１２１によるシアンのトナー像の転写が重ね塗り状態で行われ、ついで転写ベルト１２５の同一位置にイエロー用ユニット１２Ｙの感光体ドラム１２１によるイエローのトナー像の転写が重ね塗り状態で行われ、最後のブラック用ユニット１２Ｋの感光体ドラム１２１によるブラックのトナー像の転写が重ね塗り状態で行われ、これによって転写ベルト１２５の表面にカラーのトナー像が形成される。この転写ベルト１２５の表面に形成されたカラーのトナー像が用紙貯留部１４から搬送されてきた用紙Ｐに転写される。
【００３６】
各感光体ドラム１２１の図３における右方位置には感光体ドラム１２１の周面の残留トナーを除去して清浄化するクリーニング装置１２７がそれぞれ設けられている。クリーニング装置１２７によって清浄化処理された感光体ドラム１２１の周面は、新たな帯電処理のために帯電器１２３へ向かうことになる。クリーニング装置１２７で感光体ドラム１２１の周面から取り除かれた廃トナーは、所定の経路を通って図略のトナー回収ボトルに回収される。
【００３７】
用紙貯留部１４の右方位置から画像形成部１２の下部にかけて用紙搬送路１１１が形成されている。用紙貯留部１４から繰り出された用紙Ｐは、搬送ローラ対１１３の駆動で転写ベルト１２５の下方位置へ向けて搬送される。用紙搬送路１１１の２次転写対向ローラ１２５ｃと対向した位置に、転写ベルト１２５の表面と当接する２次転写ローラ１２５ｄが設けられている。用紙搬送路１１１を搬送されつつある用紙Ｐが転写ベルト１２５と２次転写ローラ１２５ｄとに押圧挟持されることによって、転写ベルト１２５上のトナー像が用紙Ｐに転写される。
【００３８】
尚、従動ローラ１２５ｂ付近には、転写ベルト用クリーニング装置１６０が設けられる。この転写ベルト用クリーニング装置１６０は、用紙Ｐへのトナー像の転写後に転写ベルト１２５の表面に残留しているトナーを取り除くものであり、清浄化した転写ベルト１２５が感光体ドラム１２１へ再び供給される。
【００３９】
トナー像破壊装置３０は、２次転写ローラ１２５ｄ及び二次転写対抗ローラ１２５ｃのニップ部より下流側であって、定着部１３より上流側に配置されている。トナー像破壊装置３０は、機密文書である画像データに応じて転写ベルト１２５にトナー像が形成され、そのトナー像が用紙Ｐに転写されてから定着部１３によって定着されるまでに、画像形成装置１内にジャムが発生したときに、用紙Ｐに形成されたトナー像を判別不能な状態にする装置である。トナー像破壊装置３０は、用紙Ｐの上に乗ったトナーを除去又は塗り潰しを行うことによって、トナー像を判別不能な状態にする装置である。このトナー像破壊装置３０については、後ほど詳しく説明する。
【００４０】
定着部１３は、画像形成部１２で転写された用紙上のトナー像に対し定着処理を施す。定着部１３は、内部に加熱源であるハロゲンランプ等の通電発熱体を備えた加熱ローラ１３１と、加熱ローラ１３１と対向配置された定着ローラ１３２と、定着ローラ１３２および加熱ローラ１３１間に張設された定着ベルト１３３と、定着ベルト１３３を介して定着ローラ１３２と対向配置された加圧ローラ１３４とを備えている。転写処理済の用紙Ｐが、定着ベルト１３３と加圧ローラ１３４との間のニップ部で加熱されつつ押圧挟持されることによって、用紙Ｐ上のトナー画像が定着され、用紙Ｐ上に安定したカラー画像が形成される。
【００４１】
定着処理の完了したカラー画像付の用紙Ｐは、定着部１３の上部から延設された排紙搬送路１１４を通って装置本体１０の左側壁に設けられた排紙トレイ１５又はセキュリティボックス１９へ向けて排出される。
【００４２】
セキュリティボックス１９は、排出された印刷物を人の目に触れないように取り込んで収納可能な構成となっており、機密情報が印刷された印刷物の排出先として設定される。例えば、ユーザがパソコン９を用いて機密文書を作成し、画像形成装置１に対して機密文書を示す画像データを送信して印刷指示を実行した後、画像形成装置１が機密文書の印刷を行い、その印刷物が無造作に排紙トレイ１５に排出されると、印刷物が他人の目に触れる可能性があり、情報流出の原因となる。この問題を解消するために、機密文書の印刷指示を行う際にユーザがセキュリティ設定を行う。
【００４３】
セキュリティ設定がなされた場合（印刷物が機密文書である場合）、後述する制御部による制御によって切換ガイド１７１は点線の向きとなり、印刷された用紙Ｐはセキュリティボックス１９に排出される。一方、セキュリティ設定がない場合（印刷物が機密文書でない場合）、後述する制御部による制御によって切換ガイド１７１は実線の向きとなり、印刷された用紙Ｐは排紙トレイ１５に排出される。このように、セキュリティボックス１９を用いることで、印刷物の機密性を確保することができる。ユーザは、予め定められた鍵や、指紋認証やＩＤカード等の個人認証によってセキュリティボックス１９を解錠し、印刷物を取り出す。
【００４４】
用紙貯留部１４は、装置本体１０の下部に挿脱自在に装着された用紙Ｐの束を貯留するための用紙トレイ１４１を有している。尚、図２及び３に示す例では、用紙トレイ１４１が２段で設けられているが、段数は、３段以上であってもよいし、１段であってもよい。
【００４５】
用紙トレイ１４１に貯留された用紙束からピックアップローラ１１２の駆動で用紙Ｐが１枚ずつ繰り出される。繰り出された用紙Ｐは、用紙搬送路１１１を通って画像形成部１２の２次転写ローラ１２５ｄと転写ベルト１２５との間のニップ部へ向けて送り込まれ、転写ベルト１２５の表面に形成されているカラーのトナー画像が転写される。転写処理後の用紙Ｐの動きは、前述のとおりである。
【００４６】
装置本体１０の全面及び右側面には、開閉カバー１８が設けられている。開閉カバー１８は、用紙搬送部１１及び用紙搬送部１１内部を露出させるために開放するカバーである。用紙搬送部１１でジャムが生じた場合は、開閉カバー１８を開放することで、ユーザは詰まった用紙Ｐを取り除くことができる。また、開閉カバー１８は、後述する制御部による制御によって施錠・解錠が行われる。開閉カバー１８の施錠・解錠については、後ほど詳しく説明する。
【００４７】
また、用紙搬送路１１には、複数のジャム検知部（不図示）が配置される。ジャム検知部は、フォトセンサ等が用いられ、ジャムを検知すると、後述する制御部に対して信号を送信する。制御部はいずれのジャム検知部から信号を受信したかによって、ジャムの発生位置を判別する。
【００４８】
図４は、トナー像破壊装置３０の一例とその周辺を示した図である。トナー像破壊装置３０は、スポンジ３０１と駆動装置３０２を備える。駆動装置３０２は、後述する制御部による制御によってスポンジ３０１を矢印Ａ方向に移動させるものであり、ソレノイドやクラッチ等によって構成される。搬送ローラ３１は、用紙搬送路１１１に設置され、用紙Ｐを定着部１３へ搬送するためのローラである。
【００４９】
ジャムが発生してない時、スポンジ３０１は用紙搬送路１１１を通過する用紙Ｐに接触しない位置に配置される。しかし、機密文書である画像データに応じて画像形成ユニット１３１が転写ベルト１２５にトナー像を形成し、そのトナー像が用紙Ｐに転写されてから定着部１３によって定着されるまでに、画像形成装置１内にジャムが発生したとき、駆動装置３０２はスポンジ３０１を用紙Ｐのトナー像が転写された面に当接可能な位置へ移動させる。その後、搬送ローラ３１が用紙Ｐをジャム解除位置まで搬送する。この搬送途中、スポンジ３０１が用紙Ｐと当接することによって、用紙Ｐに乗っているトナーを取り除き、トナー像を判別不能な状態にすることができる。
【００５０】
用紙Ｐを塗り潰しことによってトナー像を判別不能にする場合、例えば、用紙Ｐとの当接面にインク等を染み込ませたスポンジ３０１をトナー像破壊装置３０に設置する。そして、上記にてトナー像を除去して判別不能な状態にする場合と同様に、駆動装置３０２はスポンジ３０１を用紙Ｐのトナー像が転写された面に当接可能な位置へ移動させる。その後、搬送ローラ３１が用紙Ｐをジャム解除位置まで搬送する。この搬送途中、スポンジ３０１が用紙Ｐと当接することによってスポンジ３０１のインクが用紙Ｐに付着することにより、インクがトナー像を塗り潰して判別不能な状態にすることができる。
【００５１】
尚、トナー像破壊装置３０は、トナーを完全に除去又は塗り潰す必要はなく、用紙Ｐから機密情報を読み取ることができない程度にトナーを除去又は塗り潰すことができればよい。
【００５２】
図５は、画像形成装置１の電気的な構成を示すブロック図である。尚、図１及び２に示した構成要素と同一のものについては同一の番号を付して、その説明を省略する。画像形成装置１は、制御部４１、記憶部４２、画像メモリ４３、画像処理部４４、画像形成部１２、用紙搬送部１１、ジャム検知部２１、トナー像破壊装置３０、カバー用ロック４６、入力操作部４７及びネットワークＩ／Ｆ部４８を備えて構成されている。
【００５３】
記憶部４２は、画像形成装置１の備える種々の機能を実現するためのプログラムやデータ等を記憶するものであり、本実施の形態では、個人認証情報記憶部４２１として機能する。個人認証情報記憶部４２１は、画像形成装置１に対して機密文書の印刷を命令可能なユーザの個人ＩＤやパスワード、ＩＤカード情報、指紋情報等を記憶する。そして後述する個人認証部４１４が、入力操作部４７やパソコン９に対してユーザが入力した個人ＩＤやパスワードを取り込み、取り込んだ情報と個人認証情報記憶部４２１に記憶されている情報に基づいて個人認証を行う。
【００５４】
画像メモリ４３は、ネットワークＩ／Ｆ部４８を介してパソコン９から送信された画像データ等を一時的に記憶する。画像処理部４４は、画像メモリ４３に記憶されている画像データに対して画像補正や拡大・縮小等の画像処理を施す。用紙搬送部１１は、給紙カセット１２０に収納された用紙Ｐを取り込んで、二次転写ローラ１２５ｃ及び二次転写対向ローラ１２５ｄのニップ部、定着部１３を経由して排紙トレイ１５又はセキュリティボックス１９に用紙Ｐを搬送する。
【００５５】
カバー用ロック部４６は、開閉カバー１８の施錠を行う。入力操作部４７は、電源キー、リセットキー、テンキー、各種メッセージを表示する表示パネル４７１等を備える。また、個人認証を指紋認証やＩＤカードにて行う場合、入力操作部４７は、指紋やＩＤカードの読取装置も備える。ネットワークＩ／Ｆ部４８は、ＬＡＮボード等の通信モジュールから構成され、ネットワークＩ／Ｆ部４８と接続されたネットワークＮを介してパソコン９と種々のデータの送受信を行う。
【００５６】
制御部４１は、ＣＰＵ（Central Processing Unit：中央処理装置）等によって構成され、記憶部４２に記憶されたプログラムを読み出して処理を実行し、各機能部への指示信号の出力、データ転送等を行って画像形成装置１を統括的に制御する。また、制御部４１は、セキュリティ設定判別部４１１、ジャム発生判別部４１２、セキュリティ保持制御部４１３及び個人認証部４１４を備える。
【００５７】
セキュリティ設定判別部４１１は、パソコン９から送信された画像データのセキュリティレベルを確認し、その画像データが機密文書を示すデータであるか否かを判別し、判別結果に応じて切換ガイド１７１の向きを切り換える制御を行う。ユーザは、パソコン９において作成した文書の印刷要求を画像形成装置１に対して行うときに、文書のセキュリティレベルを設定する。パソコン９は、ユーザが設定したセキュリティレベルと文書を示す画像データを画像形成装置１へ送信する。セキュリティ設定判別部４１１は、セキュリティレベルが機密文書を示すレベルである場合、送信された画像データの示す文書は機密文書であると判別する。
【００５８】
そして、セキュリティ設定判別部４１１が機密文書であると判別した場合、切換ガイド１７１を図３に示す点線の向きに切り換えさせ、印刷された用紙Ｐがセキュリティボックス１９に排紙されるようにする。また、機密文書ではないと判別した場合、セキュリティ設定判別部４１１は、切換ガイド１７１を図３に示す実線の向きに切り換えさせ、印刷された用紙Ｐが排紙トレイ１５に排紙されるようにする。
【００５９】
尚、本実施の形態では、印刷された機密文書は、セキュリティボックス１９に排紙されることとして説明するが、これ以外に、機密文書を排紙する条件として、画像形成装置１は個人ＩＤやパスワードの入力の受け付け、又は、指紋認証、ＩＤカードの読み取りを行い、ユーザが予め登録されたユーザであるか否かの認証を行う。その認証が成功したとき、画像形成装置１は初めて機密文書を排紙するようにしてもよい。こうすることにより、ユーザは印刷された機密文書を確実に手にすることができる。
【００６０】
ジャム発生判別部４１２は、ジャム検知部２１から出力される信号を取り込んで、用紙搬送路１１１におけるジャム発生を判別する。また、ジャムが発生した場合、何れのジャム検知部２１から信号が出力されたかに応じて、ジャムの発生位置を特定する。
【００６１】
セキュリティ保持制御部４１３は、機密文書の印刷が行われているときにジャム発生判別部４１２がジャム発生を判別したとき、各部の制御を行う。具体的には、用紙Ｐへのトナー像の転写前にジャムが発生した場合、セキュリティ保持制御部４１３は、用紙搬送部１１に対して用紙Ｐの搬送を停止させる。次にセキュリティ保持制御部４１３は、駆動ローラ１２５ａのみを駆動させ、転写ベルト用クリーニング装置１６０に対して転写ベルト１２５上のトナーを取り除かせる。こうすることにより、機密文書を示す画像データに基づいて形成された転写ベルト１２５上のトナー像を用紙Ｐに転写する前に消し去ることができ、機密文書の情報が外部に流出することを防止することができる。
【００６２】
また、用紙Ｐへトナー像が転写されてから定着部１３による定着処理が施される前にジャムが発生した場合、セキュリティ保持制御部４１３は、トナー像破壊装置３０に対して、用紙Ｐに転写されたトナー像を除去又は塗り潰させる制御を行う。この制御を受けて、トナー像破壊装置３０は、用紙Ｐに転写されたトナー像の除去又は塗り潰す処理を行う。
【００６３】
更に、用紙Ｐの定着処理後にジャムが発生した場合、セキュリティ保持制御部４１３は、カバー用ロック部４６をロック状態とする。そして、セキュリティ保持制御部４１３は、機密文書を示す画像データを送信したパソコン９に対して、個人ＩＤ及びパスワードの入力を促す画面の表示を指示する信号をネットワークＩ／Ｆ部４８に送信させる。パソコン９に入力された個人ＩＤ及びパスワードは、後述する個人認証部４１４が取り込んで個人認証を行う。
【００６４】
個人認証部４１４による認証が成功すると、セキュリティ保持制御部４１３は、カバー用ロック部４６のロックを解除するためのロック解錠用コードを作成し、ネットワークＩ／Ｆ部４８に対して、機密文書を示す画像データを送信したパソコン９にそのロック解除用コードを送信させる。そして、入力操作部４７がロック解除用コードの入力を受け付けたとき、セキュリティ保持制御部４１３は開閉カバー１８のロックを解除する。このようにすることによって、機密文書を作成したユーザのみが開閉カバー１８のロックを解除することができる。従って、ジャム発生によって排紙されずに画像形成装置１内に残された、機密情報が印刷された可能性のある用紙Ｐが無断で装置外に取り出され、その情報が流出してしまうことを防止することができる。
【００６５】
個人認証部４１４は、パソコン９から送信された個人ＩＤ及びパスワードをネットワークＩ／Ｆ部を介して取り込み、個人認証情報記憶部４２１に記憶されている情報と比較して個人認証を行う。
【００６６】
図６は、本実施の形態における画像形成装置１の印刷処理の流れを示したフローチャートである。制御部４１が、ネットワークＩ／Ｆ部４８を介してパソコン９から印刷要求と共に画像データを取り込むと、セキュリティ設定判別部４１１は、画像データの示す文書が機密文書であるか否かを判別する（ステップＳ１１）。機密文書である場合（ステップＳ１１；ＹＥＳ）、セキュリティ設定判別部４１１は、切換ガイド１７１を図２に示す点線の向きに切り換えさせ、印刷された用紙Ｐがセキュリティボックス１９に排紙されるようにする（ステップＳ１２）。また、機密文書ではないと判別した場合（ステップＳ１１；ＮＯ）、セキュリティ設定判別部４１１は、切換ガイド１７１を図２に示す実線の向きに切り換えさせ、印刷された用紙Ｐが排紙トレイ１５に排紙されるようにする（ステップＳ１３）。
【００６７】
そして、制御部４１は、画像形成部１２に対して画像データに応じた印刷を実行させる（ステップＳ１４）。その印刷中に、ジャム検知部２１がジャム発生を示す信号を出力し（ステップＳ１５；ＹＥＳ）、セキュリティ設定判別部４１１がパソコン９から送信された画像データの示す文書は機密文書ではないと判別していた場合（ステップＳ１６；ＮＯ）、制御部４１はステップＳ２６へ処理を移行する。一方、セキュリティ設定判別部４１１が画像データの示す文書が機密文書であると判別していた場合（ステップＳ１６；ＹＥＳ）、ジャム発生判別部４１２は、ジャム発生位置を判別する。
【００６８】
そのジャム発生位置が、用紙Ｐにトナー像を転写する前であることを示す場合（ステップＳ１７；ＮＯ）、セキュリティ保持制御部４１３は、用紙搬送部１１に対して用紙Ｐの搬送を停止させ、更に駆動ローラ１２５ａのみを駆動させて、転写ベルト用クリーニング装置１６０に対して転写ベルト１２５上のトナーを取り除かせる制御を行う（ステップＳ２４）。この制御により、転写ベルト用クリーニング装置１６０は、転写ベルト１２５上のトナーを取り除く。その後、ユーザが開閉カバー１８を開けて、ジャムの原因となっている用紙Ｐを取り除き（ステップＳ２６）、ジャム解除と開閉カバー１８が閉じたことを制御部４１が検知して、画像形成部１２に対して印刷を再開させる（ステップＳ２７）。
【００６９】
また、ジャム発生位置が、用紙Ｐにトナー像を転写した後であり（ステップＳ１７；ＹＥＳ）、定着処理を施す前である場合（ステップＳ１８；ＮＯ）、セキュリティ保持制御部４１３は、トナー像破壊装置３０に対して、用紙Ｐに転写されたトナー像を除去又は塗り潰させる制御を行う（ステップＳ２５）。この制御を受けて、トナー像破壊装置３０は、用紙Ｐに転写されたトナー像を除去又は塗り潰す処理を行う。この間、用紙搬送部１１は、ジャム解除が可能な位置（用紙Ｐを装置外へ取り除くことが可能な位置）まで用紙Ｐを搬送する。その後、ユーザが開閉カバー１８を開けて、ジャムの原因となっている用紙Ｐを取り除き（ステップＳ２６）、ジャム解除と開閉カバー１８が閉じたことを制御部４１が検知して、画像形成部１２に対して印刷を再開させる（ステップＳ２７）。
【００７０】
また、ジャム発生位置が、用紙Ｐにトナー像を転写した後であり（ステップＳ１７；ＹＥＳ）、定着処理後である場合（ステップＳ１８；ＹＥＳ）、セキュリティ保持制御部４１３は、カバー用ロック部４６をロック状態とする（ステップＳ１９）。そして、制御部４１は、個人認証処理へ処理を移行する。
【００７１】
図７は、画像形成装置１及びパソコン９の個人認証処理の流れを示したフローチャートである。まず、セキュリティ保持制御部４１３は、画像データの送信元であるパソコン９に対して、個人ＩＤ及びパスワードの入力を促す画面の表示を指示する信号をネットワークＩ／Ｆ部４８に送信させる（ステップＳ４１）。パソコン９はこの指示を受けて、ディスプレイに個人ＩＤとパスワードの入力画面を表示する（ステップＳ５１）。図８は、このときパソコン９のディスプレイに表示される画面５の一例を示した図である。そして、パソコン９は入力された個人ＩＤ及びパスワードを画像形成装置１へ送信する（ステップＳ５２）。画像形成装置１のネットワークＩ／Ｆ部４８はこれらのデータを受信し、個人認証部４１４へ出力する。
【００７２】
個人認証部４１４は、パソコン１から送信された個人ＩＤ及びパスワードと個人認証情報記憶部４２１に記憶された情報を比較して、認証処理を行う（ステップＳ４３）。個人認証が成功すると（ステップＳ４４；ＹＥＳ）、セキュリティ保持制御部４１３は、カバー用ロック部４６のロックを解除するためのロック解錠用コードを作成し、ネットワークＩ／Ｆ部４８に対して、機密文書を示す画像データを送信したパソコン９にそのロック解除用コードを送信させる（ステップＳ４５）。そして、制御部４１は図６のステップＳ２１へ処理を移行する。パソコン９は、ロック解除用コードを受信して（ステップＳ５３）、ディスプレイに表示する（ステップＳ５４）。図９は、このときパソコン９のディスプレイに表示される画面６の一例を示した図である。
【００７３】
個人認証部４１４による個人認証が失敗した場合（ステップＳ４４；ＮＯ）、個人認証部４１４は、ネットワークＩ／Ｆ部４８に対して、エラーメッセージをパソコン９に送信させ、ステップＳ４１へ処理を移行する。パソコン９は、ディスプレイにエラーメッセージを表示して、再度個人ＩＤとパスワードの入力画面を表示する（ステップＳ５１）。
【００７４】
図６に戻る。制御部４１は、入力操作部４７の表示パネル４７１に対して、ロック解除用コードの入力画面を表示させる。図１０は、表示パネル４７１に表示される画面７の一例を示した図である。入力操作部４７がロック解除用コードの入力を受け付けると（ステップＳ２１）、セキュリティ保持制御部４１３はそのロック用解除コードが正しいかを判別する（ステップＳ２２）。ロック用解除コードが正しい場合（ステップＳ２２；ＹＥＳ）、セキュリティ保持制御部４１３は開閉カバー１８のロックを解除する（ステップＳ２３）。その後、ユーザが開閉カバー１８を開けて、ジャムの原因となっている用紙Ｐを取り除き（ステップＳ２６）、ジャム解除と開閉カバー１８が閉じたことを制御部４１が検知して、画像形成部１２に対して印刷を再開させる（ステップＳ２７）。
【００７５】
ロック用解除コードが正しくない場合（ステップＳ２２；ＮＯ）、制御部４１はステップＳ２０へ処理を移行し、再度個人認証処理が行われる。
【００７６】
また、ジャムが発生せずに印刷が終了した（又は、ジャムが発生したが、解除され、その後印刷が終了した）場合（ステップＳ１５；ＮＯ）、用紙搬送部１１は印刷された用紙Ｐを排紙して（ステップＳ２８）、処理を終了する。
【００７７】
従来は、機密文書の印刷中にジャムが発生すると、何れの印刷段階であってもカバーがロックされ、プリンタはユーザの個人認証を行い、その個人認証が成功した場合にカバーのロックが解除され、ユーザはジャムの原因である記録紙を取り除くことができた。このことは、決められたユーザが個人認証を行ってカバーのロックを解除しない限り、カバーはロックされたままとなり、ジャムを解除することができないことを意味する。決められたユーザが即刻ジャムを解除できない状況にあると、プリンタの使用停止状態が長時間続き、他のユーザにとって不便であると共に、印刷効率を下げる原因にもなっていた。
【００７８】
そこで、上記にて説明したように、機密文書の印刷中におけるジャム発生位置が、用紙Ｐにトナー像を転写する前である場合、用紙搬送部１１が用紙Ｐの搬送を停止し、転写ベルト用クリーニング装置１６０が転写ベルト１２５上のトナーを取り除く。又は、ジャム発生位置が転写後であって定着処理前である場合は、トナー像破壊装置３０が用紙Ｐのトナー像を除去する又は塗り潰すことにより、機密文書を示すトナー像は画像形成装置１内で破壊される。つまり、機密文書の内容が外部に流出することがないため、開閉カバー１８を施錠しなくてもよく、何れのユーザであっても開閉カバー１８を開けてジャムの原因となっている用紙Ｐを取り除くことができる。従って、画像形成装置１を即刻使用可能な状態にすることができ、印刷効率を維持することができる。
【００７９】
また、用紙Ｐの定着後である場合は、一旦開閉カバー１８をロックし、ユーザの個人認証が成功した場合に開閉カバー１８のロックを解除することにより、ロックを解除したユーザのみが開閉カバー１８を開けることができるため、用紙Ｐに印刷された機密情報が外部に流出することを防ぐことができる。
【符号の説明】
【００８０】
１      画像形成装置
１１１  用紙搬送路
１２    画像形成部（画像形成手段）
１２５  転写ベルト（像担持体）
１３    定着部（定着手段）
１４    用紙貯留部（収容手段）
１５    排紙トレイ（印刷物収容手段）
１６０  転写ベルト用クリーニング装置（クリーニング手段）
１８    開閉カバー（カバー）
１９    セキュリティボックス（印刷物収容手段）
２１    ジャム検知部（検知手段）
３０    トナー像破壊装置（画像破壊手段）
３０１    スポンジ（拭き取り手段、塗り潰し手段）
３０２    駆動装置（切換手段）
４１    制御部
４１１  セキュリティ設定判別部（判別手段）
４１２  ジャム発生判別部（検知手段）
４１３  セキュリティ保持制御部
４１４  個人認証部（認証手段）
４２    記憶部
４２１  個人認証情報記憶部（記憶手段）
４３    画像メモリ
４４    画像処理部
４５    記録紙搬送部（搬送手段）
４６    カバー用ロック部（施錠手段）
４７    入力操作部（入力受付手段）
４８    ネットワークＩ／Ｆ部（送信手段、受信手段）
９      パソコン（外部装置）
Ｎ      ネットワーク
【図１】
2010256385.tif 000003
【図２】
2010256385.tif 000004
【図３】
2010256385.tif 000005
【図４】
2010256385.tif 000006
【図５】
2010256385.tif 000007
【図６】
2010256385.tif 000008
【図７】
2010256385.tif 000009
【図８】
2010256385.tif 000010
【図９】
2010256385.tif 000011
【図１０】
2010256385.tif 000012